(57)【要約】【課題】着用していない時は非常に小型で嵩張らず、成人女性が着用できる大きさにまで伸長する下半身用防寒具を提供すること。【解決手段】弾性糸で編成された防寒パンツ１等の腹囲部を覆う下半身用防寒具であって、弾性糸は少なくともポリウレタンを含み、弾性糸の糸径を細くすると共に伸縮性を高くし、編目数を少なくすることにより、常態における面積及び嵩高さを小さくしてある。【選択図】　　図２
0003098565.tif 000002
【実用新案登録請求の範囲】
【請求項１】
弾性糸で編成された腹囲部を覆う下半身用防寒具において、前記弾性糸は少なくともポリウレタンを含み、前記弾性糸の糸径を細くすると共に伸縮性を高くし、編目数を少なくすることにより、常態における面積及び嵩高さを小さくしたことを特徴とした下半身用防寒具。
【請求項２】
防寒パンツである請求項１に記載の下半身用防寒具。
【請求項３】
腹巻きである請求項１に記載の下半身用防寒具。
【考案の詳細な説明】
【０００１】
【考案の属する技術分野】
本考案は、防寒パンツ、腹巻き等の腹囲部を覆う下半身用防寒具に関する。
【０００２】
【従来の技術】
従来より、下半身用の防寒具として、毛糸で編んだ腹巻きやパンツが用いられていたが、嵩張って体裁も悪いため、若い女性等には敬遠されていた。
しかし、実際には、若い女性の方が薄着であって、短いスカート等を着用するので、下半身用防寒具を必要としていた。
そこで、近年、毛糸に代わり、比較的嵩張らず、しかも保温性を有するポリウレタン、アクリル等を素材とする弾性糸で編んだ腹巻きや防寒パンツが提供されている。
ところが、このような腹巻きや防寒パンツは、防寒機能や着用感を損なわないように、比較的太くて、保温性の高いネップヤーン等の弾性糸で、編目数を多くして編成してあるので、十分に小型化することができず、おしゃれな女性が購入したり、着用するのに抵抗感があり、携帯にも不便であった。
【０００３】
【考案が解決しようとする課題】
本考案の目的は、着用していない時は非常に小型で嵩張らず、成人女性が着用できる大きさにまで伸長する腹囲部を覆う防寒パンツや腹巻きの下半身用防寒具を提供することにある。
【０００４】
【課題を解決するための手段】
本考案は、弾性糸で編成された腹囲部を覆う下半身用防寒具に関し、前記弾性糸は少なくともポリウレタンを含み、前記弾性糸の糸径を細くすると共に伸縮性を高くし、編目数を少なくすることにより、常態における面積及び嵩高さを小さくしてある。
弾性糸の糸径を細くして、編目数を少なくした構成により、縮小時の面積が小さくなって編地が薄くなり、弾性糸の伸縮性を大きくしたことにより、成人女性が着用可能な大きさにまで伸長可能となる。
下半身用防寒具として、防寒パンツや腹巻きがある。
【０００５】
【考案の実施の形態】
図１及び図２は、本考案の第１の実施形態を示す。図１は、第１の実施形態である防寒パンツ１の常態における正面図、図２は、防寒パンツ１と従来の防寒パンツとの大きさを比較した正面図である。
防寒パンツ１は、弾性糸を継ぎ目がないよう立体的に周回編みして形成される。弾性糸は、ポリウレタン及びアクリルに、必要に応じてナイロン、ポリエステル等を加えた素材より成り、ポリウレタンの混率を高くすることにより、従来の防寒パンツに用いる弾性糸よりも伸縮性を高くしてある。
また、弾性糸の糸径は、従来の防寒パンツを形成する弾性糸が１０番であるのに対し、１７番程度の細いものとし、ネップ等が付着した糸は嵩張るため、滑らかな弾性糸を用いるのが望ましい。
【０００６】
防寒パンツ１のウェスト部分２及び脚口部分３は、所定幅に亘ってゴム編みしてあり、その他の部分は平編みしてある。また、ウェスト部分２には、複数本の細いゴム紐を編み込んである。
防寒パンツ１を編み立てる際に、編機の針数を少なくして、編目数を少なくしてある。例えば、従来の防寒パンツは、１周の編目数が約２３２であるのに対して、この防寒パンツ１では、１周の編目数を約２１６としてある。なお、弾性糸の糸径が細いので、１個の編目は小さくなり、単位面積当たりの編目数は多くなる。
【０００７】
このように糸径が細い弾性糸で編目数を少なく編んだので、編地が薄くてやや防寒性が低下するが、図２に示すように、防寒パンツ１の常態（着用していない時）における面積及び嵩高さは、従来の弾性糸で編成した防寒パンツａに比べて非常に小さくて済む。
具体的には、常態におけるウェスト部分２の幅は、従来のものが１７ｃｍであるのに対し、防寒パンツ１では１２．８ｃｍ以下、脇丈は、従来のものが３０．２ｃｍであるのに対し、防寒パンツ１では２０．８ｃｍ以下、前中心丈は、従来のものが２２ｃｍであるのに対し、防寒パンツ１では１６ｃｍ以下、脚口部分３の幅は、従来のものが１６．１ｃｍであるのに対し、防寒パンツ１では１１ｃｍ以下である。
また、弾性糸は従来のものに比較して伸縮性が高いので、この弾性糸で編成された防寒パンツ１は、着用時には、従来の弾性糸で編成された防寒パンツとほぼ同程度の大きさ、即ち、成人女性が無理なく着用できる大きさまで伸長する。
なお、ポリウレタンの混率を増やして弾性糸の伸縮性をさらに高めると、上記した寸法より小さい防寒パンツ１を得ることも可能である。
【０００８】
図３は、腹巻き４である第２の実施形態を示す。
腹巻き４は、第１の実施形態と同様の弾性糸で、編目数を少なくして丸編みすることにより、常態における面積及び嵩高さを小さくしてある。
また、腹巻き４の上端部分５及び下端部分６は、所定幅に亘ってゴム編みされると共に、複数本の細いゴム紐が編み込まれ、その他の部分は平編みされている。
【０００９】
【考案の効果】
本考案によれば、弾性糸の糸径を細くし、編目数を少なくしたので、常態における面積が小さいばかりでなく、重量及び嵩高さも減少し、このため、体裁が良くて抵抗無く着用でき、収納や洗濯の際に場所をとらず、通勤や旅行にも手軽に携帯できる。
また、弾性糸の伸縮性が高いので、常態では小さくても、成人女性が着用可能な大きさまで伸長することができ、違和感がない。
【図面の簡単な説明】
【図１】本考案の第１の実施形態を示す防寒パンツの正面図。
【図２】第１の実施形態に係る防寒パンツと従来の防寒パンツとを比較した図。
【図３】本考案の第２の実施形態を示す腹巻きの正面図。
【符号の説明】
１　防寒パンツ
２　ウェスト部分
３　脚口部分
４　腹巻き
５　上端部分
６　下端部分
【図１】
0003098565.tif 000003
【図２】
0003098565.tif 000004
【図３】
0003098565.tif 000005
【手続補正書】
【提出日】平成15年5月14日(2003.5.14)
【手続補正１】
【補正対象書類名】明細書
【補正対象項目名】全文
【補正方法】変更
【補正の内容】
【考案の詳細な説明】
【実用新案登録請求の範囲】
【請求項１】弾性糸で編成された防寒パンツにおいて、前記弾性糸は少なくともポリウレタンを含み、前記弾性糸の糸径を細くすると共に伸縮性を高くし、編目数を少なくすることにより、常態における面積及び嵩高さを小さくしたことを特徴とした防寒パンツ。
【考案の詳細な説明】
【０００１】
【考案の属する技術分野】
本考案は、弾性糸で編成された防寒パンツに関する。
【０００２】
【従来の技術】
従来より、下半身用の防寒具として、毛糸で編んだパンツが用いられていたが、嵩張って体裁も悪いため、若い女性等には敬遠されていた。
しかし、実際には、若い女性の方が薄着であって、短いスカート等を着用するので、下半身用防寒具を必要としていた。
そこで、近年、毛糸に代わり、比較的嵩張らず、しかも保温性を有するポリウレタン、アクリル等を素材とする弾性糸で編んだ防寒パンツが提供されている。
ところが、このような防寒パンツは、防寒機能や着用感を損なわないように、比較的太くて、保温性の高いネップヤーン等の弾性糸で、編目数を多くして編成してあるので、十分に小型化することができず、おしゃれな女性が購入したり、着用するのに抵抗感があり、携帯にも不便であった。
【０００３】
【考案が解決しようとする課題】
本考案の目的は、着用していない時は非常に小型で嵩張らず、成人女性が着用できる大きさにまで伸長する防寒パンツを提供することにある。
【０００４】
【課題を解決するための手段】
本考案は、弾性糸で編成された防寒パンツに関し、前記弾性糸は少なくともポリウレタンを含み、前記弾性糸の糸径を細くすると共に伸縮性を高くし、編目数を少なくすることにより、常態における面積及び嵩高さを小さくしてある。
弾性糸の糸径を細くして、編目数を少なくした構成により、縮小時の面積が小さくなって編地が薄くなり、弾性糸の伸縮性を大きくしたことにより、成人女性が着用可能な大きさにまで伸長可能となる。
【０００５】
【考案の実施の形態】
図１及び図２は、本考案の実施形態を示す。図１は、防寒パンツ１の常態における正面図、図２は、防寒パンツ１と従来の防寒パンツとの大きさを比較した正面図である。
防寒パンツ１は、弾性糸を継ぎ目がないよう立体的に周回編みして形成される。弾性糸は、ポリウレタン及びアクリルに、必要に応じてナイロン、ポリエステル等を加えた素材より成り、ポリウレタンの混率を高くすることにより、従来の防寒パンツに用いる弾性糸よりも伸縮性を高くしてある。
また、弾性糸の糸径は、従来の防寒パンツを形成する弾性糸が１０番であるのに対し、１７番程度の細いものとし、ネップ等が付着した糸は嵩張るため、滑らかな弾性糸を用いるのが望ましい。
【０００６】
防寒パンツ１のウェスト部分２及び脚口部分３は、所定幅に亘ってゴム編みしてあり、その他の部分は平編みしてある。また、ウェスト部分２には、複数本の細いゴム紐を編み込んである。
防寒パンツ１を編み立てる際に、編機の針数を少なくして、編目数を少なくしてある。例えば、従来の防寒パンツは、１周の編目数が約２３２であるのに対して、この防寒パンツ１では、１周の編目数を約２１６としてある。なお、弾性糸の糸径が細いので、１個の編目は小さくなり、単位面積当たりの編目数は多くなる。
【０００７】
このように糸径が細い弾性糸で編目数を少なく編んだので、編地が薄くてやや防寒性が低下するが、図２に示すように、防寒パンツ１の常態（着用していない時）における面積及び嵩高さは、従来の弾性糸で編成した防寒パンツａに比べて非常に小さくて済む。
具体的には、常態におけるウェスト部分２の幅は、従来のものが１７ｃｍであるのに対し、防寒パンツ１では１２．８ｃｍ以下、脇丈は、従来のものが３０．２ｃｍであるのに対し、防寒パンツ１では２０．８ｃｍ以下、前中心丈は、従来のものが２２ｃｍであるのに対し、防寒パンツ１では１６ｃｍ以下、脚口部分３の幅は、従来のものが１６．１ｃｍであるのに対し、防寒パンツ１では１１ｃｍ以下である。
また、弾性糸は従来のものに比較して伸縮性が高いので、この弾性糸で編成された防寒パンツ１は、着用時には、従来の弾性糸で編成された防寒パンツとほぼ同程度の大きさ、即ち、成人女性が無理なく着用できる大きさまで伸長する。
なお、ポリウレタンの混率を増やして弾性糸の伸縮性をさらに高めると、上記した寸法より小さい防寒パンツ１を得ることも可能である。
【０００８】
【考案の効果】
本考案によれば、弾性糸の糸径を細くし、編目数を少なくしたので、常態における面積が小さいばかりでなく、重量及び嵩高さも減少し、このため、体裁が良くて抵抗無く着用でき、収納や洗濯の際に場所をとらず、通勤や旅行にも手軽に携帯できる。
また、弾性糸の伸縮性が高いので、常態では小さくても、成人女性が着用可能な大きさまで伸長することができ、違和感がない。
【図面の簡単な説明】
【図１】本考案の実施形態を示す防寒パンツの正面図。
【図２】本考案の実施形態に係る防寒パンツと従来の防寒パンツとを比較した図。
【符号の説明】
１　防寒パンツ
２　ウェスト部分
３　脚口部分
【手続補正２】
【補正対象書類名】図面
【補正対象項目名】図３
【補正方法】削除
【補正の内容】
【手続補正書】
【提出日】平成15年8月25日(2003.8.25)
【手続補正１】
【補正対象書類名】明細書
【補正対象項目名】実用新案登録請求の範囲
【補正方法】変更
【補正の内容】
【実用新案登録請求の範囲】
【請求項１】
弾性糸で編成された防寒パンツにおいて、ウェスト部及び脚口部は所定幅に亘ってゴム編みされ、その他の部分は平編みされ、前記弾性糸は少なくともポリウレタンを含み、前記弾性糸の糸径を細くすると共に伸縮性を高くし、編目数を少なくすることにより、常態における面積及び嵩高さを小さくしたことを特徴とした防寒パンツ。
【手続補正２】
【補正対象書類名】明細書
【補正対象項目名】０００４
【補正方法】変更
【補正の内容】
【０００４】
【課題を解決するための手段】
本考案は、弾性糸で編成された防寒パンツに関し、ウェスト部及び脚口部は所定幅に亘ってゴム編みされ、その他の部分は平編みされ、前記弾性糸は少なくともポリウレタンを含み、前記弾性糸の糸径を細くすると共に伸縮性を高くし、編目数を少なくすることにより、常態における面積及び嵩高さを小さくしてある。
弾性糸の糸径を細くして、編目数を少なくした構成により、縮小時の面積が小さくなって編地が薄くなり、弾性糸の伸縮性を大きくしたことにより、成人女性が着用可能な大きさにまで伸長可能となる。